(57)【要約】【課題】いわゆる「伸びる紙」の画期的な特性を活用した、有益な機能、高い付加価値を具備させた紙製品を提供することを目的とする。【解決手段】２３℃、５０％Ｒ．Ｈ環境下での破断伸び率が縦方向１３％以上・横方向１３％以上の紙、あるいは該紙をベース層としこれに他の材料層を積層した複合紙を、裁断、折畳み、打ち抜き、プレス成形、圧空成形、真空成形等の適宜の成形手段にて成形加工した紙製品であり、ひねりを与えて塑性変形させることによって得られる機能を有することを特徴とする紙製品。【選択図】図１
2005047507.tif 000002
【特許請求の範囲】
【請求項１】
２３℃、５０％Ｒ．Ｈ環境下での破断伸び率が縦方向１３％以上・横方向１３％以上の紙、あるいは該紙をベース層としこれに他の材料層を積層した複合紙を、裁断、折畳み、打ち抜き、プレス成形、圧空成形、真空成形等の適宜の成形手段にて成形加工した紙製品であり、ひねりを与えて塑性変形させることによって得られる機能を有することを特徴とする紙製品。
【請求項２】
２３℃、５０％Ｒ．Ｈ環境下での破断伸び率が縦方向１３％以上・横方向１３％以上の紙、あるいは該紙をベース層としこれに他の材料層を積層した複合紙を、裁断、折畳み、打ち抜き、プレス成形、圧空成形、真空成形等の適宜の成形手段にて成形加工した紙製品であり、ひねりを与えて塑性変形させることによって結束状態あるいは掛止状態を得ることを特徴とする紙製品。
【請求項３】
前記の紙製品が、被結束物に巻き付けてひねりを与えて塑性変形させることによって結束状態にする結束具であることを特徴とする請求項１又は２に記載の紙製品。
【請求項４】
前記の紙製品が、表示部分と、被表示物に掛け回して或いは引っ掛けてその掛け回し部分或いは引っ掛け部分にひねりを与えて塑性変形させることによって被表示物に掛止状態にする掛止部分とを有するタグであることを特徴とする請求項１又は２に記載の紙製品。
【請求項５】
前記の紙製品が、ひねりを与えて塑性変形させることによって掛止状態にする掛止部分を具備させたシート状物あるいは成形加工物であることを特徴とする請求項１又は２に記載の紙製品。
【請求項６】
前記の紙製品が、トレー部とフタ部とを有する容器であり、トレー部とフタ部とに、該両者を閉じ合わせ状態にしたとき互いに対応し、ひねりを与えて塑性変形させることによってトレー部とフタ部とを開き留める掛止部分を有することを特徴とする請求項１又は２に記載の紙製品。
【請求項７】
前記の紙製品が、貼着用部分と、摘み用部分と、その両者を連絡させている細帯つなぎ部分の３部分を有する形状物であり、貼着用部分の片面に接着剤層を具備させ、その接着剤層を離形紙で覆わせた、後付け用留め具であることを特徴とする請求項１又は２に記載の紙製品。
【発明の詳細な説明】
【０００１】
【発明の属する技術分野】
本発明は、紙、あるいは紙をベース層としこれに他の材料層を積層した複合紙を、裁断、打ち抜き、プレス成形、圧空成形，真空成形等の適宜の成形手段にて成形加工した紙製品に関する。
【０００２】
特に、上記の紙、あるいは紙をベース層としこれに他の材料層を積層した複合紙が、２３℃、５０％Ｒ．Ｈ環境下での破断伸び率が縦方向１３％以上・横方向１３％以上である、いわゆる「伸びる紙」を用いた紙製品に関する。
【０００３】
【従来の技術】
上記のような、従来の紙の概念を越えた大きな破断伸び率を有する、いわゆる「伸びる紙」については例えば非特許文献１、非特許文献２、特許文献１等に記載がある。
【０００４】
印刷用紙などの破断伸び率は３〜５％程度であり、従来伸びるとされる紙でも最大１０％程度のものであるところ、非特許文献１や非特許文献２に記載の「伸びる紙」（商品名「ウェイビーウェイビー」）は、抄紙機で製造する際、パルプ繊維を微細に折り畳んで製造されており、そのため、力が加えられてもそのパルプ繊維の微細な折りヒダが伸びることで破れずに縦・横方向に１５〜３０％も伸びる特徴を有している（縦２０％以上、横１５％以上、従来の紙の５〜１０倍の伸び特性）。
【０００５】
このような「伸びる紙」は、その優れた破断伸び率により、プラスチックのような滑らかな成型ができる。深絞り成型のほか、図柄などのエンボス加工やリブ構造などの３次元曲面も可能である。深絞り成型では、容器の大きさにもよるが深さは２０〜３０ｍｍまで対応できる。成形加工については、従来の紙用絞り成形のほか、プラスチック用成型機を使った圧空成型もできる。またカットシートだけでなく、プラスチックと同様の巻取シートからの複数個同時成型もできる。印刷や塗工、樹脂ラミネーション、裁断、打ち抜きなどの２次加工も容易に行える。プラスチックと異なり、加熱軟化工程が不要で省エネルギーで生産できる。製品の容器として使用した場合、容器包装リサイクル法における「紙」に該当し、使用済み容器の廃棄処理に問題がなく、エコロジーに対応できる等の特徴を有している。
【非特許文献１】
ニュース、「世界一“伸びる紙”で事業展開〜新製品「ウェイビーウェイビー」を旭川工場で生産開始〜」、［ｏｎｌｉｎｅ］、２００２年１０月３０日、日本ユニパックホールディンググループ、日本製紙株式会社、［０３／０７／１７検索］、インターネット
＜ｈｔｔｐ：／／ｗｗｗ．ｎｉｐｐｏｎｕｎｉｐａｃ．ｃｏｍ／ｎｅｗｓ／ｎｅｗｓ０２１０３００２．ｈｔｍｌ＞
【非特許文献２】
「微細なヒダが作った世界一伸びる紙「ウェイビーウェイビー」圧空成型も可能で、プラ製トレーの代替に高い期待」、［ｏｎｌｉｎｅ］、
日本紙共販（株）、［０３／０７／１７検索］、インターネット
＜ｈｔｔｐ：／／ｗｗｗ．ｃｔｉｗｅｂ．ｃｏ．ｊｐ／ｃｔｉ／ｓｉｎｋｉｎｏｕ／５＿ｎｉｈｏｎｓｈｉ．ｈｔｍｌ＞
【特許文献１】
特表平１１−５０９２７６号公報
【０００６】
【発明が解決しようとする課題】
本発明は上記のような「伸びる紙」の用途発明であり、この「伸びる紙」の画期的な特性を活用した、有益な機能、高い付加価値を具備させた紙製品を提供することを目的とする。
【０００７】
【課題を解決するための手段】
本発明は下記の構成を特徴とする紙製品である。
【０００８】
（１）２３℃、５０％Ｒ．Ｈ環境下での破断伸び率が縦方向１３％以上・横方向１３％以上の紙、あるいは該紙をベース層としこれに他の材料層を積層した複合紙を、裁断、折畳み、打ち抜き、プレス成形、圧空成形、真空成形等の適宜の成形手段にて成形加工した紙製品であり、ひねりを与えて塑性変形させることによって得られる機能を有することを特徴とする紙製品。
【０００９】
（２）２３℃、５０％Ｒ．Ｈ環境下での破断伸び率が縦方向１３％以上・横方向１３％以上の紙、あるいは該紙をベース層としこれに他の材料層を積層した複合紙を、裁断、折畳み、打ち抜き、プレス成形、圧空成形、真空成形等の適宜の成形手段にて成形加工した紙製品であり、ひねりを与えて塑性変形させることによって結束状態あるいは掛止状態を得ることを特徴とする紙製品。
【００１０】
（３）前記の紙製品が、被結束物に巻き付けてひねりを与えて塑性変形させることによって結束状態にする結束具であることを特徴とする（１）又は（２）に記載の紙製品。
【００１１】
（４）前記の紙製品が、表示部分と、被表示物に掛け回して或いは引っ掛けてその掛け回し部分或いは引っ掛け部分にひねりを与えて塑性変形させることによって被表示物に掛止状態にする掛止部分とを有するタグであることを特徴とする（１）又は（２）に記載の紙製品。
【００１２】
（５）前記の紙製品が、ひねりを与えて塑性変形させることによって掛止状態にする掛止部分を具備させたシート状物あるいは成形加工物であることを特徴とする（１）又は（２）に記載の紙製品。
【００１３】
（６）前記の紙製品が、トレー部とフタ部とを有する容器であり、トレー部とフタ部とに、該両者を閉じ合わせ状態にしたとき互いに対応し、ひねりを与えて塑性変形させることによってトレー部とフタ部とを開き留める掛止部分を有することを特徴とする（１）又は（２）に記載の紙製品。
【００１４】
（７）前記の紙製品が、貼着用部分と、摘み用部分と、その両者を連絡させている細帯つなぎ部分の３部分を有する形状物であり、貼着用部分の片面に接着剤層を具備させ、その接着剤層を離形紙で覆わせた、後付け用留め具であることを特徴とする（１）又は（２）に記載の紙製品。
【００１５】
【発明の実施の形態】
（１）「伸びる紙」の一般物性例
先ず、本発明で用いる「伸びる紙」の物性例として、日本製紙株式会社製、商品名「ウェイビーウェイビー」の測定値を表１に例示する。
【００１６】
【表１】
2005047507.tif 000003
【００１７】
表１において、「ＭＤ」は縦方向、「ＣＤ」は横方向である。
【００１８】
「伸び」は、「破断伸び」あるいは「破断伸び率」のことで、試験片に引張り荷重を与え、破壊の瞬間における試験片の伸びをしめし、試験前の試験片の標線間距離に対する百分率である。使用機器：一定速度で引張ることができる万能試験機、伸び計は試験中の標線間距離の変化の全てを経過時間に従って記録できるものを使用。試験環境：２３°Ｃ±２°Ｃ、５０％±５％ＲＨ。
【００１９】
上記のような「伸びる紙」の破断伸び過程における初期弾性領域はわずかで、大部分が塑性変形領域である。塑性変形領域では顕著な紙層構造破壊は生じておらず、構造変化を伴わない塑性変形の機構が存在している。
【００２０】
「伸びる紙」の坪量は種々に調製でき、一般的には５０〜３００ｇ／ｍ２が使用される。坪量をあまり小さくすると成形物の剛性不足により使用範囲が限定されていく。坪量をあまり大きくすると成形付加が大きくなる。破断伸び率が縦方向１３％未満・横方向１３％未満では十分な絞り成形率が得られず、成形時に亀裂や破断を発生しやすく、また捻り強度も低下するので、本発明において「伸びる紙」は２３℃、５０％Ｒ．Ｈ環境下での破断伸び率が縦方向１３％以上・横方向１３％以上のものとした。特には縦方向２０％以上・横方向１４％以上のものを使用するのが好ましい。廃棄性を考慮すると天然パルプ１００％からなるものが好ましい。
【００２１】
本発明において、素材としての「伸びる紙」は、着色したもの、片面あるいは両面に着色や絵柄プリント、エンボス加工等を施したもの、耐水性（防湿性）や装飾等のために無地或いは装飾プリント印刷等を施した例えばポリオレフィン系樹脂等の他の材料層をラミネート処理した複合紙を用いることができる。
【００２２】
（２）実施例１
本実施例１は、前記表１中の例えば坪量２００ｇ／ｍ２又は２７５ｇ／ｍ２の「伸びる紙」を用い、これを、図１の（ａ）のように、例えば長さ８０〜１５０ｍｍ・幅４〜１２ｍｍの細長ストリップ片に裁断加工して包装結束用テープ（アルタイ）１として調製したものである。
【００２３】
この包装結束用テープ１は従来の針金やプラスチックを芯に利用している包装用のプラスチックテープ（ビニタイ）と同様の操作で、図１の（ｂ）ように、被結束物としての例えば菓子やパンの包装袋２の絞り閉じた口に一回あるいは複数回巻き付けて両端部を合わせて一回或いは複数回ひねる（捻回）ことによって結束状態（結び或いは縛り状態）にして袋の絞り閉じた口を開き留めることができる。
【００２４】
この包装結束用テープ１は、結束のために一回或いは複数回ひねりを与えても、素材である「伸びる紙」の大きな延び特性により捻回部１ａに顕著な紙層構造破壊を生じることなしに、従ってひねりで千切れるようなことなく捻回部１ａは十分な強度を保持したまま容易に塑性変形して、弾性戻りせずにその捻回状態すなわち結束状態を安定に自己保持する。即ち、簡単に安定に結束状態になる。また逆に捻回部１ａをひねり戻せば結束状態は簡単に解かれる。
【００２５】
上記の包装結束用テープは、図２の（ａ）のように、任意のデザイン形状の打ち抜き加工製品にして図２の（ｂ）のように飾りリボン兼用の結束用テープとすることもできる。３は被結束物である。結束具１はテープ状に限られず、紐状物や環状物（輪状物）等の形態に調製することもできる。
【００２６】
図３のように、布製あるいはプラスチック製等の装飾リボン４の面に、「伸びる紙」を素材とする包装結束用テープ１を接着した形態のものにすることもできる。
【００２７】
上記のような「伸びる紙」を用いた包装結束用テープ１は、従来の針金を芯に利用している包装用のプラスチックテープとの対比において次のような優位点がある。
【００２８】
▲１▼．従来の針金を芯に利用している包装用のプラスチックテープと遜色ない十分強固でかつ安定な結束機能を有している上に、針金が無いので、針金の鋭い切断端部で不用意に手指を傷つけたり、結束した包装袋自体あるいは隣接の他の包装袋を突いてピンホールや破れを生じさせてしまう様な事態の発生をなくすことができる。
【００２９】
▲２▼．針金を芯に利用している包装用のプラスチックテープよりも指先に対する強い抵抗感なく、簡単にひねり結束でき、逆に簡単にひねり戻して結束解除ができる。
【００３０】
▲３▼．紙という材料で十分に代用できるので、安全性を必要とする食品関連等や、エコロジーを推進する商品関連等における包装結束用テープ、例えば電気コード等の包装結束用テープなどとして有効適切である。
【００３１】
（３）実施例２
本実施例２は、前記表１中の例えば坪量１５０ｇ／ｍ２又は２００ｇ／ｍ２の「伸びる紙」を用い、これを、図４の（ａ）や図５の（ａ）ように、適宜の大きさ・形状の表示部分５ａと、これに連設した細帯状の掛止部分５ｂを具備させて打ち抜き加工等で調製したタグ５（値札、荷札、衣装のたれ飾り等）である。表示部分５ａには所要の表示内容が印刷、ラベル貼着、書き込み等される。
【００３２】
このタグ５を、その細帯状の掛止部分５ｂを図４の（ｂ）や図５の（ｂ）ように被表示物６に掛け回して或いは引っ掛けてその掛け回し部分或いは引っ掛け部分５ｃにひねりを与えて塑性変形させることによって被表示物６に掛止状態にする。
【００３３】
このタグ５も前記実施例１の包装結束用テープ１の場合と同様に、細帯状の掛止部分５ｂは素材である「伸びる紙」の大きな延び特性により捻回部５ｃに顕著な紙層構造破壊を生じることなしに、従ってひねりで千切れるようなことなく捻回部５ｃは十分な強度を保持したまま容易に塑性変形して、弾性戻りすることなく捻回状態すなわち被表示物６に対する掛止状態を安定に自己保持し、簡単に掛止状態にすることできる。逆に捻回部１ａを捻り戻せば簡単に取り外せる。
【００３４】
図６のタグ５はシャツ等の衣類商品のボタン部分に掛止するタグとして調製したもので、掛止部分５ｂを幅広面部にし、この幅広面部の面にシャツ等の衣類商品のボタン７をくぐらせることができる円穴部５ｄと、これに連設してスリット穴部５ｅを設けてある。
【００３５】
このタグ５の取り付けは、掛止部分５ｂの円穴部５ｄに被表示物としてのシャツ等の衣類商品のボタン７をくぐらせて掛止部分５ｂを少し引き上げることでボタン７の係止糸部にスリット穴部５ｅを位置させ、円穴部５ｄを含む掛止部分５ｂを一回或いは複数回ひねる（捻回）ことによって掛止状態にする。
【００３６】
このタグ５も掛止部分５ｂは素材である「伸びる紙」の大きな延び特性により捻回部５ｃに顕著な紙層構造破壊を生じることなしに、従ってひねりで千切れるようなことなく捻回部５ｃは十分な強度を保持したまま容易に塑性変形して、弾性戻りすることなく捻回状態すなわち被表示物としてのシャツ等の衣類商品のボタン７に対する掛止状態を安定に自己保持し、簡単に掛止状態にすることできる。取り外しは捻回部５ｃを捻り戻して円穴部５ｄをボタン７から外せばよい。
【００３７】
「伸びる紙」を素材とした上記のようなタグ５は、掛止部分に糸やプラスチック製の下げ輪等を用いた従来のタグよりも扱い性が良く、掛止・取り外し操作も簡単である、低コスト化を図ることができる等の優位性がある。
【００３８】
（４）実施例３
本実施例３は、前記表１中の例えば坪量１００ｇ／ｍ２又は１５０ｇ／ｍ２の「伸びる紙」を用いた伝言票・メモ用紙等のシート状物であり、図７の（ａ）ように、適宜の大きさ・形状のシート状物８と、これに連設した細帯状の掛止部分８ａを具備させてある。
【００３９】
このシート状物８は細帯状の掛止部分８ａを具備させてあることで、例えば図７の（ｂ）ように、該シート状物８の２枚以上の複数枚を互いの細帯状の掛止部分８ａをひねり合わせることで複数のシート状物８を簡単に結束状態にして散逸を防止することができる。また１枚でも細帯状の掛止部分８ａを他物に掛け回してひねり止めしておくことで散逸を防止することができて便利である。
【００４０】
細帯状の掛止部分８ａは素材である「伸びる紙」の大きな延び特性により捻回部に顕著な紙層構造破壊を生じることなしに、従ってひねりで千切れるようなことなく捻回部は十分な強度を保持したまま容易に塑性変形して、弾性戻りすることなく捻回状態すなわち結束状態あるいは掛止状態を安定に自己保持する。逆に捻回部を捻り戻せば簡単に外せる。
【００４１】
本実施例において、シート状物８はこれに代えて「延びる紙」の適宜の成形加工物にすることができる。
【００４２】
（５）実施例４
本実施例４は、前記表１中の例えば坪量１００ｇ／ｍ２又は１５０ｇ／ｍ２の「伸びる紙」を用いた二つ折りのメッセージカード９であり、図８の（ａ）のように、二つ折りにした２枚のカード部分９ａ・９ｂの開き側の片隅部にそれぞれ細首部９ｃとそれに連設した摘み部９ｄを具備させたものである。
【００４３】
カード９にメッセージを書いて二つ折りにし、２枚のカード部分９ａ・９ｂの開き側の片隅部に設けた上記の摘み部９ｄ・９ｄを重ね合わせて指で摘んで両者の細首部９ｃ・９ｃを一回或いは複数回ひねり合わせる。９ｅはその捻回部である。これにより二つ折りにした２枚のカード部分９ａ・９ｂを簡単に開き留め状態にすることができ、捻回部５ｃを捻り戻せばカード部分９ａ・９ｂを開くことができて、洒落たメッセージカードとなる。
【００４４】
掛止部分である細首部９ｃ・９ｃは素材である「伸びる紙」の大きな延び特性により捻回部９ｅに顕著な紙層構造破壊を生じることなしに、従ってひねりで千切れるようなことなく捻回部９ｅは十分な強度を保持したまま容易に塑性変形して、弾性戻りすることなく捻回状態すなわち結束状態あるいは掛止状態を安定に自己保持する。逆に捻回部９ｅを捻り戻せば簡単に外せる。
【００４５】
（６）実施例５
本実施例５は前記表１中の例えば坪量２００ｇ／ｍ２又は２７５ｇ／ｍ２の「伸びる紙」を用いて、紙用絞り成型機あるいはプラスチック用成型機で圧空成型したトレー部とフタ部とを有する深絞り成型容器であり、トレー部とフタ部とに、該両者を閉じ合わせたとき互いに対応して重なり、その重なり部分にひねりを与えて塑性変形させることによってトレー部とフタ部とを開き留める掛止部分を具備させたものである。
【００４６】
図９の（ａ）の容器１０において、１０ａはトレー部、１０ｂはフタ部、１０ｃはトレー部１０ａとフタ部１０ｂのつなぎ部である。フタ部１０ｂはこのつなぎ部１０ｃをヒンジしてトレー部１０ａに対して開閉自由である。１０ｄ・１０ｄはトレー部１０ａとフタ部１０ｂとを開き留める細帯状の掛止部分であり、トレー部１０ａとフタ部１０ｂの開き側にそれぞれ外方に突出させて、かつトレー部１０ａとフタ部１０ｂとを閉じ合わせ状態にしたとき互いに対応して重なるようにトレー部１０ａとフタ部１０ｂに一連に形成具備させてある。
【００４７】
トレー部１０ａ内に内容物を収納し、フタ部１０ｂを閉じ合わせ、互いに対応して重なったトレー部１０ａ側とフタ部１０ｂ側の細帯状の掛止部分１０ｄ・１０ｄを図９の（ｂ）のように一回或いは複数回ひねり合わせる。１０ｅはその捻回部である。これによりトレー部１０ａとフタ部１０ｂとを簡単に開き留め状態にすることができる。フタ部１０の開きは捻回部１０ｅを捻り戻せばよい。
【００４８】
細帯状の掛止部分１０ｄは素材である「伸びる紙」の大きな延び特性により捻回部１０ｅに顕著な紙層構造破壊を生じることなしに、従ってひねりで千切れるようなことなく捻回部１０ｅは十分な強度を保持したまま容易に塑性変形して、弾性戻りすることなく捻回状態すなわちフタ部の開き留め状態を安定に自己保持する。逆に捻回部１０ｅを捻り戻せば簡単に開き留めを解除することができる。
【００４９】
図１０の（ａ）の容器１０は、トレー部１０ａ側とフタ部１０ｂ側の掛止部分として、トレー部１０ａ側とフタ部１０ｂ側とにそれぞれ細首部１０ｆとそれに連設した摘み部１０ｇを具備させたものである。トレー部１０ａにフタ部１０ｂを閉じ合わせ、互いに対応して重なったトレー部１０ａ側とフタ部１０ｂ側の摘み部１０ｇ・１０ｇを重ね合わせて指で摘んで両者の細首部１０ｆ・１０ｆを一回或いは複数回ひねり合わせる。１０ｈはその捻回部である。これによりトレー部１０ａとフタ部１０ｂとを簡単に開き留め状態にすることができる。フタ部１０ｂを開くときは捻回部１０ｈを捻り戻せばよい。
【００５０】
掛止部分である細首部１０ｆ・１０ｆは素材である「伸びる紙」の大きな延び特性により捻回部１０ｈに顕著な紙層構造破壊を生じることなしに、従ってひねりで千切れるようなことなく捻回部１０ｈは十分な強度を保持したまま容易に塑性変形して、弾性戻りすることなく捻回状態すなわちフタ部１０ｂの開き留め状態を安定に自己保持する。逆に捻回部１０ｅを捻り戻せば簡単に開き留めを解除することができる。
【００５１】
図９や図１０の容器１０において、トレー部とフタ部とを開き留める掛止部分は一組に限られず、複数組具備させた設計にすることができることは勿論である。
【００５２】
従来のプラスチック等の包装容器においては、フタ部の開き留めは、ステープル止め、粘着テープあるいは粘着シール止め、輪ゴム止め、あるいはトレー部とフタ部とに具備させた嵌合掛合部の嵌め合い、引掛け部による係止等でなされているが、これらのフタ部開き留め手段あるいは形態に比べて、本実施例の容器のように、「伸びる紙」を用いて容器を成型し、かつトレー部とフタ部とに、該両者を閉じ合わせたとき互いに対応し、ひねりを与えて塑性変形させることによってトレー部とフタ部とを開き留める掛止部分を具備させたものは、ステープル、粘着テープ、粘着シール、輪ゴム等の副資材を用いず、従って低コストで、しかも掛止部分をひねり操作するだけで、簡単・迅速・確実に、かつ十分にフタ部を開き留め状態にできるので、多量のパック詰め商品を作る、例えばスーパーマーケット、弁当業者、惣菜業者、その他の各種食品販売業者等において使用する食品等の包装容器として、全体的な作業効率の向上や低コスト化等を図る上で有効適切なものである。消費者側も開封が容易となる利点がある。また容器素材が紙という材料で十分に代用できるので、安全性を必要とする食品関連等や、エコロジーを推進する商品関連等における包装用容器として有効適切である。
【００５３】
（７）実施例６
本実施例６は、前記表１中の例えば坪量２００ｇ／ｍ２又は２７５ｇ／ｍ２の「伸びる紙」を用いて調製した、後付け用留め具である。
【００５４】
図１１の（ａ）の留め具１１は、上記の「伸びる紙」を素材にし、これを裁断あるいは打ち抜き加工して、貼着用部分１１ａと、摘み用部分１１ｂと、その両者１１ａ・１１ｂを連絡させている細帯つなぎ部分１１ｃの３部分を有する形状物とし、貼着用部分１１ａの片面に接着剤層１１ｄを具備させ、その接着剤層１１ｄを離形紙１１ｅで覆わせたものである。
【００５５】
この留め具１１は、図１１の（ｂ）のように、例えばノートや本１２のおもて表紙１２ａ側とうら表紙１２ｂ側にそれぞれ該留め具１１を、貼着用部分１１ａから離形紙１１ｅを剥がして除去して接着剤層１１ｄを露出させ、細帯つなぎ部分１１ｃと摘み用部分１１ｂを表紙の外方に突出させた状態にして貼着用部分１１ａを接着剤層１１ｄを介して貼り付ける。おもて表紙１２ａ側とうら表紙１２ｂ側の留め具１１は位置を対応させて取りつける。そして表紙１２ａ側とうら表紙１２ｂ側の対応留め具１１の摘み用部分１１ｂ・１１ｂを重ね合わせて指で摘んで、図１１の（ｃ）のように、両者の細帯つなぎ部分１１ｃ・１１ｃを一回或いは複数回ひねり合わせる。１１ｆはその捻回部である。これによりノートや本１２を簡単に開き留め状態にすることができる。開くときは捻回部１１ｆを捻り戻せばよい。
【００５６】
掛止部分である１１ｃ・１１ｃは素材である「伸びる紙」の大きな延び特性により捻回部１１ｆに顕著な紙層構造破壊を生じることなしに、従ってひねりで千切れるようなことなく捻回部１１ｆは十分な強度を保持したまま容易に塑性変形して、弾性戻りすることなく捻回状態すなわちノートや本１２の開き留め状態を安定に自己保持する。逆に捻回部１１ｆを捻り戻せば簡単に開き留めを解除することができる。
【００５７】
本実施例の後付け用の留め具１１はノートや本１２に限られず、もともと開き留め機能のない物品に後付けで開き留め機能を付与することができて便利である。
【００５８】
【発明の効果】
以上説明したように本発明によれば、ユニークな新素材としての「伸びる紙」の画期的な特性を活用し、特にひねりを与えて塑性変形させることによって得られる、有益な機能、高い付加価値を具備させた紙製品を提供することができ、「伸びる紙」の用途発明、利用発明として有効である。
【図面の簡単な説明】
【図１】実施例１の包装結束用テープの説明図（その１）
【図２】実施例１の包装結束用テープの説明図（その２）
【図３】実施例１の包装結束用テープの説明図（その３）
【図４】実施例２のタグの説明図（その１）
【図５】実施例２のタグの説明図（その２）
【図６】実施例２のタグの説明図（その３）
【図７】実施例３のシート状物の説明図
【図８】実施例４のメッセージカードの説明図
【図９】実施例５のトレー部とフタ部とを有する深絞り成型容器の説明図（その１）
【図１０】実施例５のトレー部とフタ部とを有する深絞り成型容器の説明図（その２）
【図１１】実施例６の後付け用留め具の説明図
【符号の説明】
１・・包装結束用テープ、２・・被結束物、３・・被結束物、４・・飾りリボン、５・・タグ、６・・被表示物、７・・被表示物としてのシャツ等の衣類商品のボタン部分、８・・シート状物、９・・メッセージカード、１０・・トレー部とフタ部とを有する深絞り成型容器、１１・・後付け用留め具
【図１】
2005047507.tif 000004
【図２】
2005047507.tif 000005
【図３】
2005047507.tif 000006
【図４】
2005047507.tif 000007
【図５】
2005047507.tif 000008
【図６】
2005047507.tif 000009
【図７】
2005047507.tif 000010
【図８】
2005047507.tif 000011
【図９】
2005047507.tif 000012
【図１０】
2005047507.tif 000013
【図１１】
2005047507.tif 000014